(57)【特許請求の範囲】
【請求項１】
下端を開放した筒状取付部を有する操作つまみと、前記筒状取付部に挿入される操作軸を有する部品本体と、前記筒状取付部の外周面に嵌挿されるばね部材とを備え、前記ばね部材が前記筒状取付部を内側に向かって締め付けることにより、該筒状取付部が前記操作軸に固着されている手動操作型電気部品において、
前記筒状取付部の内周面に突出部が形成されていると共に、該筒状取付部に開放端から前記突出部を越えて上方位置まで延びるスリットが形成されており、前記突出部が前記操作軸の外周面に弾接することにより、前記ばね部材の下側部分の前記筒状取付部が弾性変形して外側へ変位することを特徴とする手動操作型電気部品。
【請求項２】
請求項１の記載において、一対の前記スリットによって弾性変形部が形成されており、前記弾性変形部の内周面に前記突出部が形成されていることを特徴とする手動操作型電気部品。
【発明の詳細な説明】
【技術分野】
【０００１】
本発明は、ロータリエンコーダ等の部品本体に備えられる操作軸に操作つまみを取り付け、この操作つまみをユーザが手動操作するようになっている手動操作型電気部品に関するものである。
【背景技術】
【０００２】
ロータリエンコーダやロータリスイッチ等の回転型電気部品は部品本体から上方へ突出する操作軸を有しており、通常は、この操作軸の先端部に操作つまみを取り付け、ユーザが操作つまみを介して操作軸を回転操作することにより、部品本体の内部で可動接点が固定接点に対して接離するようになっている。
【０００３】
このような手動操作型電気部品において、操作つまみに下端を開放した筒状取付部を突設し、側面に平坦部を有するＤカット形状の操作軸を筒状取付部に挿入すると共に、筒状取付部の外周面に螺旋状に巻回したばね部材を装着し、このばね部材の締め付け力によって筒状取付部を操作軸に圧着させるようにした操作つまみの取付構造が広く採用されている。
【０００４】
かかる取付構造を採用すると、操作つまみの筒状取付部を操作軸に簡単に圧接させることができる。しかし、経年変化による樹脂の変形や強い振動の付加等により、筒状取付部に装着したばね部材が落下してしまうという問題があった。
【０００５】
そこで従来より、特許文献１の図６に記載されているように、筒状取付部の下部に外周方向へ突出する落下防止突起を形成し、この落下防止突起によってばね部材の落下を防止するという技術が提案されている。
【先行技術文献】
【特許文献】
【０００６】
【特許文献１】特開２００８−７１５６２号公報
【発明の概要】
【発明が解決しようとする課題】
【０００７】
しかし、特許文献１の図６に記載された従来例では、ばね部材を筒状取付部の外周面に装着する際に、落下防止突起を乗り越えることができるようにばね部材を押し広げる必要があるため、組立作業を容易に行うことが難しいという問題があった。
【０００８】
本発明は、このような従来技術の実情に鑑みてなされたもので、その目的は、ばね部材の落下を防止することができると共に、組立作業を容易に行うことができる手動操作型電気部品を提供することにある。
【課題を解決するための手段】
【０００９】
上記の目的を達成するために、本発明の手動操作型電気部品は、下端を開放した筒状取付部を有する操作つまみと、前記筒状取付部に挿入される操作軸を有する部品本体と、前記筒状取付部の外周面に嵌挿されるばね部材とを備え、前記ばね部材が前記筒状取付部を内側に向かって締め付けることにより、該筒状取付部が前記操作軸に固着されている手動操作型電気部品において、前記筒状取付部の内周面に突出部が形成されていると共に、該筒状取付部に開放端から前記突出部を越えて上方位置まで延びるスリットが形成されており、前記突出部が前記操作軸の外周面に弾接することにより、前記ばね部材の下側部分の前記筒状取付部が弾性変形して外側へ変位するという構成にした。
【００１０】
このように構成された手動操作型電気部品では、筒状取付部の外周面にばね部材を装着する際に、ばね部材を強く押し広げる必要がないため、組立作業を容易に行うことができる。そして、操作軸を筒状取付部に挿入完了した時点で、筒状取付部の外側へ変位した下側部分が突出部よりも上側に装着されたばね部材に対し脱落防止用の返し部として機能するため、ばね部材の筒状取付部からの脱落が抑制される。
【００１１】
上記の構成において、一対のスリットによって弾性変形部が形成され、その弾性変形部の内周面に突出部が形成されていることが好ましい。
【発明の効果】
【００１２】
本発明の手動操作型電気部品によれば、ばね部材の落下を防止することができると共に、組立作業を容易に行うことができる。
【図面の簡単な説明】
【００１３】
【図１】本発明の実施形態例に係る手動操作型電気部品の斜視図である。
【図２】該手動操作型電気部品の断面図である。
【図３】該手動操作型電気部品の分解斜視図である。
【図４】該手動操作型電気部品に備えられる操作軸を筒状取付部に挿入する組立工程を示す説明図である。
【発明を実施するための形態】
【００１４】
発明の実施の形態について図面を参照して説明すると、図１〜図３に示すように、本実施形態例に係る手動操作型電気部品は、ロータリエンコーダやロータリスイッチ等の回転型電気部品１と、この電気部品１の部品本体１ａから突出する操作軸２に取り付けられた操作つまみ３とを備えた構成となっている。
【００１５】
電気部品１の部品本体１ａの内底部には固定接点が配設されており、操作軸２の下端部には固定接点と接離可能な可動接点（いずれも図示せず）が設けられている。操作軸２は側面に平坦部２ａを有するＤカット形状に形成されており、この操作軸２の上端周縁部にはテーパ状の面取り部２ｂが形成されている。
【００１６】
操作つまみ３は、外周面に指掛部４ａを有する円筒状の装飾リング４と、装飾リング４の内側に一体化された支持体５とによって構成されており、支持体５には下端を開放した筒状取付部６が突設されている。この筒状取付部６には開放端から上方へ延びる複数本のスリット７ａ，７ｂ，７ｃ，７ｄが周方向に所定間隔をおいて形成されており、これらのスリット７ａ，７ｂ，７ｃ，７ｄによって分割された複数の分割片のうち、一対のスリット７ａと７ｄによって形成された１つの分割片は、内周面に上下方向へ延びるリブ６ａを有して変形しにくい剛性部となっている。また、一対のスリット７ｂと７ｃによって形成された分割片は、上端を固定端とする片持ち梁状の弾性変形部１０となっており、この弾性変形部１０の内周面に突出部１０ａが形成されている。詳細については後述するが、操作軸２は平坦部２ａをリブ６ａに位置合わせした状態で筒状取付部６に挿入され、それによって突出部１０ａが操作軸２の外周面に弾接することにより、筒状取付部６の弾性変形部１０が撓んで外側へ変位するようになっている。
【００１７】
筒状取付部６の外周面にはばね部材であるコイルスプリング８が嵌挿されており、このコイルスプリング８は突出部１０ａよりも上側に位置する筒状取付部６の外周面に巻回されている。コイルスプリング８は筒状取付部６に数ターン緊密に巻き付けられているため、筒状取付部６はコイルスプリング８の強い締め付け力を受けて操作軸２の外周面に圧接されている。また、コイルスプリング８よりも下側に位置する筒状取付部６の弾性変形部１０が外側へ変位しているため、当該部位がコイルスプリング８に対して脱落防止用の返し部としての機能を果たし、それによってコイルスプリング８の筒状取付部６からの脱落が抑制されている。
【００１８】
このように構成された手動操作型電気部品では、ユーザが操作つまみ３の装飾リング４を把持して回転操作すると、その回転力が支持体５の筒状取付部６を介して電気部品１の操作軸２に伝達されるため、操作軸２の回転に伴って図示せぬ可動接点が固定接点と接離し、操作つまみ３の回転方向と回転量に応じた出力信号が電気部品１から出力される。
【００１９】
その際、回転方向については、操作軸２の平坦部２ａと筒状取付部６のリブ６ａとが当接しているため、操作つまみ３と操作軸２が空回りすることは防止されている。また、上方への抜き方向については、コイルスプリング８の大きな締め付け力によって筒状取付部６が操作軸２の外周面に圧接されているため、操作つまみ３の抜け強度が高められて、筒状取付部６が操作軸２から抜けにくくなっている。しかも、操作軸２に弾接する突出部１０ａによって筒状取付部６の下端部が外側へ変位しているため、コイルスプリング８が筒状取付部６から抜け落ちてしまうことはなく、外部振動や衝撃あるいは温度変化などによってコイルスプリング８が脱落するという事故を確実に防止することができる。
【００２０】
次に、操作軸２を操作つまみ３の筒状取付部６に挿入する組立工程について、図４を参照して説明する。
【００２１】
まず、図４（ａ）に示すように、操作軸２を挿入する前の筒状取付部６に対して、その開口端側から外周面の上方に向けてコイルスプリング８を嵌挿する。このとき、筒状取付部６の外周面に抜止部のような突出部分は存在しないため、コイルスプリング８を強く押し広げることなく容易に嵌挿することができる。そして、コイルスプリング８を嵌挿し終えると、コイルスプリング８の弾性力によって筒状取付部６の弾性変形部１０が内側に締め付けられるため、筒状取付部６の開口端の内径が操作軸２の外径に対して若干狭くなった状態となる。次に、操作軸２の平坦部２ａを筒状取付部６のリブ６ａに位置合わせし、この状態で操作軸２を筒状取付部６の内部に押し込んで挿入する。このとき、操作軸２の上端に面取り部２ｂが付けられているため、内径が若干狭くなっている筒状取付部６に対して操作軸２を容易に挿入することができる。
【００２２】
そして、このように操作軸２を筒状取付部６の内部に挿入していくと、図４（ｂ）に示すように、筒状取付部６の突出部１０ａが操作軸２の外周面に弾接するため、一対のスリット７ｂ，７ｃによって分割された筒状取付部６の弾性変形部１０がコイルスプリング８の弾性力に抗して外側へ拡がるように撓む。
【００２３】
さらに操作軸２を筒状取付部６の内部に挿入していくと、図４（ｃ）に示す状態となり、この時点で筒状取付部６に対する操作軸２の挿入作業が完了する。その結果、筒状取付部６の外側へ変位した部分によってコイルスプリング８の脱落が防止される。
【００２４】
以上説明したように、本実施形態例に係る手動操作型電気部品では、操作つまみ３の筒状取付部６に開放端から上方位置まで延びる一対のスリット７ｂ，７ｃを形成し、これらスリット７ｂ，７ｃによって分割された弾性変形部１０の内周面に突出部１０ａを形成したため、操作軸２に操作つまみ３を取り付ける組立工程において、筒状取付部６の外周面にコイルスプリング８を嵌挿した状態で操作軸２を筒状取付部６の内部に挿入すると、突出部１０ａが操作軸２の外周面に弾接して弾性変形部１０を外側へ変位させることができる。したがって、操作軸２を筒状取付部６に挿入完了した時点で、筒状取付部６の外側へ変位した下側部分がコイルスプリング８に対して脱落防止用の返し部として機能し、操作つまみ３の抜け強度を高めることができると共に、コイルスプリング８の筒状取付部６からの脱落を防止することができる。また、コイルスプリング８を強く押し広げなくても筒状取付部６の外周面に嵌挿できるため、組立作業を容易に行うことができる。
【００２５】
なお、上記実施形態例では、ばね部材としてコイルスプリング８を用いた場合について説明したが、これに限定されず、例えば薄板ばねをリング状にフォーミングしたばね部材を筒状取付部６の外周面に装着するようにしても良い。
【００２６】
また、上記実施形態例では、ロータリエンコーダやロータリスイッチ等の回転型電気部品１の操作軸２に操作つまみ３を取り付けた場合について説明したが、本発明による操作つまみの取付構造をプッシュスイッチのような電気部品の操作軸に適用することも可能である。
【符号の説明】
【００２７】
１  回転型電気部品
１ａ  部品本体
２  操作軸
２ａ  平坦部
２ｂ  面取り部
３  操作つまみ
４  装飾リング
５  支持体
６  筒状取付部
６ａ  リブ
７ａ，７ｂ，７ｂ，７ｄ  スリット
８  コイルスプリング（ばね部材）
１０  弾性変形部
１０ａ  突出部
【図１】
0006592382.tif 000002
【図２】
0006592382.tif 000003
【図３】
0006592382.tif 000004
【図４】
0006592382.tif 000005